(57)【要約】【課題】  手の握力の弱い、手を回したりすることが困難である高齢者、障害者にとって水分を含んだタオル類の水分を取り除くことが困難であった。これらの課題を解決して、場所を選ばず、またモーター等の電動装置を利用することなく簡単に絞ることを目的とする。【解決手段】  対向する両端枠を形成する網状の構造体を設けて、一方を回転動作の枠にして、同軸上に紐を引くだけで回転する回転駆動部を設ける。よって前記網状の構造体にタオル類を納めて、紐を引くことで前記網の構造体が捩れ、絞られることで容易にタオル類の水分を取り除くことができるものである。【選択図】        図１
2006311987.tif 000002
【特許請求の範囲】
【請求項１】
水分を含んだタオル類を入れる網状の構造体で上部に開放部を形成する。前記網状の構造体は対向する両端枠を有し、その一方の枠側に回転枠を設ける。前記回転枠の回転は、リール枠に紐を巻く、前記紐を引くことによって回転枠が回転し前記網状の構造体が捩れて、内部のタオル類を絞るように設けたことを特徴とするタオル類絞り装置。
【請求項２】
網状の構造体の対向する両端枠にわたって伸びにくい帯状の圧力帯を２本以上設けたことを特徴とする請求項１記載のタオル類絞り装置。
【請求項３】
前記網状の構造体の回転機構の回転枠とペダルをワイヤーによって連動するように設けて、ペダルの仕事量を前記回転機構の回転枠が回転することで捩れ、絞るように設けたことを特徴とするタオル類絞り装置。
【請求項４】
前記タオル類絞り装置のベース台に吊下げベルトを設けたことを特徴とする請求項１、２、３記載のタオル類絞り装置。
【発明の詳細な説明】
【技術分野】
【０００１】  本発明は、高齢者、また腕や手に障害のある人等が濡れたタオル類を容易に絞ることができる装置に関する。
【背景技術】
【０００２】  従来、タオルや手拭い等に含んだ水分を除去するとき、手によって捩じり、絞ることによる動作のものであった。
しかし、障害者、高齢者にとっては手に力がはいらないこと、また絞る動作ができない人には困った問題であった。これらの問題を解決するため様々な絞り機に関するものがある。【０００３】  軸に係合するためのフックを突出した本体と、本体内に収容された減速機付モータ、およびその起動スイッチと、本体を貫通する絞り軸とを備えている。そしてこの絞り軸の一端部にモータの出力軸に軸方向移動自在に連結されると共に、もう一端にタオル類の引掛部が設けられている。よってモータの回転によって絞るものがある。（例えば特許文献１参照）
また、タオル類を収納する網を設けて、その一端を仕掛てもう一端を回転軸を設けて、この回転軸を手で回して網を捩じり、絞る装置がある。（例えば特許文献２参照）
また、駆動ロールとこのロールに対向した、間隔が可変な連動ロールを枠持して、駆動ロールを回すことでタオルの水分を取り除くものがある。（例えば特許文献３参照）【０００４】
【特許文献１】  実開平５−６３４９１号公報
【特許文献２】  特開昭５９−１７１５９２号公報
【特許文献３】  実開昭５９−１６８２８９号公報
【発明の開示】
【発明が解決しようとする課題】
【０００５】  しかしながら、従来のタオル絞り機具に下記のような問題がある。
特許文献１においては、モータの電源が必要とすることから設置場所に制限が出てくるものである。また浴室などの湿気のある所に取付けるようにするためには、製品も高価なものとなる。さらに携帯としても不向きなものである。
また特許文献２、特許文献３においては、手の不自由な方においては何度も回転する動作においては苦痛を感じるものである。【０００６】  そこで本発明は、上記の課題を鑑み、高齢者や障害者の方でも設置場所を選ばず簡単に利用ができて、携帯としても可能、軽量で、どのような所でも使いやすくするタオル類の絞り機である。また製品単価を安く提供するものである
【課題を解決するための手段】
【０００７】  上記の課題を解決するため本発明の絞り装置は、両枠を有した網状の構造体を形成して、一方の枠側を回転動作をする回転機構部を設けて、前記回転機構部は紐を引くことで回転を起こす構造にする。もう一方の枠は回転せず前後に移動する構造とする。また、前記網状の構造体の上部は開放部を設ける。
よって、本体を壁面に取付けて、前記網状の構造体に上部の開放部より水分を含んだタオル類を入れて、ここで前記紐を引くことで回転枠が回り前記網状の構造体が捩られて、絞られることでタオル類の水分を除去できることを特徴とする。【０００８】  また、伸びにくい帯状を、前記網状の構造体の網状に沿って２本以上取付ける。いま前記網状の構造体にタオル類を納めて、前記紐を引くことで回転枠が回転して網状が捩れ、絞られるとき、前記帯状が網状内のタオル類を要所要所強い圧力となる。よって水分の除去を増すことができることを特徴とする。【０００９】  また、回転機構部の回転枠をペダルの足踏みの仕事量をワイヤーによって連動して、回転するように設けたものである。
よって、前記網状の構造体にタオル類を納めて、前記ペダルを足で数回踏ことで網状が捩れ、絞ることで、手を使わず容易にタオル類の水分を取り除くことができることを特徴とする。【００１０】  また、絞り装置の枠の両端に吊り下げ用にベルトを設ける。
よって、前記タオル類の絞り装置を利用するとき、ベルトを壁面などの掛けやすい所に吊り下げて、前記網の構造体にタオル類を入れて、絞る方向に回転リールの紐を引くことで容易にタオル類を絞ることができることで携帯として便利に利用できることを特徴とする。
【効果】
【００１１】  本発明は、以上説明したように構成されているので、以下に記載されているような効果を奏する。
【００１２】  請求項１記載の発明によれば、タオル類を絞るとき網状の構造体の網状の上部より、水分を含んだタオル類を納めて、即座に紐を引くことで水分を取り除くことができる。したがって高齢者、障害者の手の不自由な方にとってタオル類を容易に絞ることができる装置を提供できるものである。
【００１３】  請求項２記載の発明によれば、網状の構造体に設けた帯状が捩られることで圧力バンドとなり網状に納められたタオル類が強く締められることで、水分をより一層取り除くことができるものである。
【００１４】  請求項３記載の発明によれば、網に納められたタオル類を絞るとき下部のペダルを踏むことで簡単に水分を取り除くことができる。よって手の力を必要とせず脱水できることから障害者にとって大変便利なものである。
【００１５】  請求項４記載によれば、絞り装置に吊り下げベルト設けることで、吊り下げができる所であれば、場所を選ばずどこでも携帯として利用ができものである。
【発明を実施するための最良の形態】
【００１６】  本発明の実施の形態について図面を参照して説明する。
本発明の第一の実施の形態を説明する。図１は、本発明の第一実施例の全体の正面図、図２は網状の構造体部分で、網状の開口部を上から見た図である、図５は網状の構造体が絞る状態を示す斜視図である。いま図において、１は網状の構造体で、３は開放部でここよりタオル類を入る構造である。１０は絞り紐リールで９の絞り紐を巻いた状態に設ける。
また絞り方向の回転を戻すようにするために１２の戻し紐リールに１１の戻し紐を巻きとるように設ける。
４は前記網状の構造体１の回転動作をする回転枠である。回転枠４は絞り紐９を引くことで２の回転軸の連動によって回転動作をする。５は回転枠４と対向した圧力枠で回転をせず前後に移動するのみで、８は圧力枠５支える移動軸である。圧力枠５は回転軸２とは独立をしていることから回転枠４が回転動作をするが、圧力枠５は回転せず前後移動するのみである。６は前記網状の構造体１は捩じれて内部のタオル類は絞られるとき圧力を増すようにする圧力バネとして働くものである。
したがって、圧力バネ６は圧力枠５は図５のように回転枠４の引かれることから、圧力バネ６によって軸受台７Ａの方向に戻そうとする作用をする。この動作によて前記網状の構造体１は強く絞られる働きをする。
また、１３はストッパーで移動軸８の引かれる範囲の停止位置を設定にする。１５Ａ、１５Ｂは各紐のストッパーで、絞り紐９，及び戻し紐１１が各リール内に巻き込まれないよう防ぐものである。１６は紐脱落防止装置で絞り紐９、及び戻し紐１１が夫々のリールから外れを防ぐものである。７Ａ、７Ｂ、７Ｃは回転軸２や移動軸８夫々の軸受台である。１４はこれらのベース台となり、３６は壁面に取付けるさいの穴である。以上からなる構成である【００１７】  よって、本発明を利用するとき、ベース台１４の壁面取付穴３６を利用して壁面に取り付けて、図２に示すように前記開放部３より水分を含んだタオル類を入れる。この状態で絞り紐９を下方向に引くことで絞り紐リール１０が回転すると回転枠４が回転する。よって前記網状の構造体１が捩じれ、図５に示すように内部のタオル類が絞られるものである。このとき戻し紐リール１２も回転して戻し紐１１を巻き取ってゆくものである。
絞り状態を見計らって戻し紐１１を引く、このとき紐ストッパー１５Ａによって前記網状の構造体１が元の位置に戻り、内部のタオル類を取出すことによって水分を取り除くことができるものである。【００１８】  また、図６に示すように、前記戻し紐１１、前記戻し紐リール１２を利用せず、簡単に前記網状の構造体１を元の位置に戻す装置として、１０Ａは絞り紐リールで絞り紐９Ａを巻いているが、前記網状の構造体１を元の位置戻す機能は２２の回転枠戻し組立（内部にゼンマイ１９を内蔵）によっておこなうものである。絞り動作のとき絞り紐リール１０Ａが戻らないようにするため１８のブレーキゴムと２１のブレーキドラムを形成して、２０はブレーキ解除ボタンで前記網状の構造体１を元の位置戻す動作時に利用するものである。
したがって前記網状の構造体１のタオル類を絞る時、絞り紐９Ａを引き絞る。水分を取り除きタオル類を取出す時、ブレーキ解除ボタン２０を押すことでブレーキゴム１８がブレーキドラム２１より外れることで、回転枠戻し組立２２によって前記網状の構造体１が戻る回転動作をする。戻るとき紐ストッパー１５Ａによって元の位置で止まり、タオル類を取出すことができるものである。
よって、前項のタオル絞り装置と同様の動作ができるものである。【００１９】  また、本発明の第二の実施の形態を説明する。図７は、網状の構造体１Ａの回転枠４Ａから圧力枠５Ａにかけて１７の伸びにくい帯状を数本形成した図である。この帯状の圧力帯１７を絞る状態のとき捩じれて圧力として作用するものである。図８は前記網状の構造体１Ａが捩じれて、帯状の圧力帯１７も捩じれることで強く絞る状態を示した図である。【００２０】  したがって前記網状の構造体１Ａにタオル類を納めて、回転枠４Ａが回転して絞る状態にはいる、このとき網状の構造からやや伸びるようになり絞ることが弱くなるが、圧力帯１７により要所要所が強く締まりタオル類に含んだ水分を多く除去できるものである。【００２１】  また、本発明の第三の実施の形態を説明する。図９は、ペダルの上下変化によって回転枠４Ｂの回転をする駆動部分を描いた斜視図である。
３０は足踏みによって上下運動おこなうペダルで、３１はペダル３０を安定に踏むことができるようにする安定台である。３２はペダル３０から足の力を抜くと上部の定位に戻すバネである。２９はワイヤーでペダル３０の仕事量を連動して駆動部に伝える。２３はペダルの仕事量を回転に変換する回転誘導レバーである。２４はレバーが上下のたびに回転軸２Ａが回転するための回転駆動組立である。２７は軸連結部で回転軸２Ａと回転枠４Ｂ側の回転軸４Ｂと連結、また離れるように設ける。２６は回転軸２Ａと回転軸２Ｂの連結を確実にするための圧力を加える連結スプリングである。２８は軸連結部２５の接続部を離すときに利用する軸解除版である。２７は軸解除板２８を接続スプリング２６の方向（矢印Ｂ、Ｃの方向）に移動させて、軸連結部２５を離す動作のレバーである。２２Ａは軸連結部２５が離れることで回転枠４Ｂを元の位置に戻すもの回転枠戻し組立で、内部にゼンマイ１９を内蔵しているもので、このゼンマイの反作用によって絞る回転方向とは逆回転をして戻すものである。なお３３は回転用レバーの戻すためのバネである。【００２２】  したがって第三の実施例を利用するとき、水分を含んだタオル類を前記網状の構造体１Ｂに納めて前記ペダル３０を足で何度か踏むことで、ワイヤー２９を通じて回転誘導レバー２３が上下に動くたびに回転駆動組立２４の回転部が円形状に移動してその円運動を回転軸２Ａ、２Ｂを通じて回転枠４Ｂが徐々に回転することで前記網状の機構部１Ｂが捩じれて絞る動作をおこなうことで水分を取り除くことができる。
またタオル類を取出すとき連結解除レバー２７を矢印Ａの方向に押すことで軸解除板２８が矢印Ｂの方向に移動し、連結スプリング２６も矢印Ｃの方向に縮むことで軸連結部２５が離れることで、回転枠戻し組立２２Ａによって回転枠４Ｂが元の位置に戻り開放部３よりタオル類を取出すことができる。【００２３】  また、本発明の第四の実施の形態を説明する。図１０は、ベース体１４Ａに吊下げベルトの取付部を設けた腰部側面図である。
３４は吊下げベルトで３５はベルト取付部で両端に設けて、ここに吊下げベルト３４を取付けるものである。【００２４】  いたがって第四の実施例を利用するとき、本タオル類絞り装置を必要な所に移動して、前記吊下げベルト３４を吊り下げることのできるところに架ける。よって必要におおじてタオル類を絞ることができ携帯としても利用することができるものである。
【図面の簡単な説明】
【００２５】
【図１】  本発明の第一実施例を示す正面図である。
【図２】  本発明の第一実施例の網状の構造体の部分の上から見た平面図である。
【図３】  第１図の左側（固定枠側）の側面図である。
【図４】  第１図の右側（回転枠側）の側面図である。
【図５】  図１の網の構造体を捩り、絞る状態の腰部斜視図である。
【図６】  第一実施例の回転駆動部分の他の一例を示した腰部斜視図である。
【図７】  本発明の第二実施例で網の構造体に帯状の圧力帯を設けた部分の正面図である。
【図８】  図７の捩り、絞る状態の腰部斜視図である。
【図９】  本発明の第三の実施例における回転駆動部分とペダルの腰部斜視図である。
【図１０】  本発明の第四の実施例の吊下げベルト部分の腰部正面図である。
【符号の説明】
【００２６】  １、１Ａ、１Ｂは網状の構造体              ２は回転軸
２Ａは回転軸回転駆動側                    ２Ｂは回転軸網側
３は開放部                                ４、４Ａ、４Ｂは回転枠
５、５Ａ、５Ｂは圧力枠                    ６、６Ａは圧力バネ
７Ａ、７Ｂ、７Ｃ、７Ｄ、７Ｅは軸受台      ８、８Ａは移動軸
９、９Ａは絞り紐                          １０、１０Ａは絞り紐リール
１１、１１Ａは戻し紐                      １２は戻し紐リール
１３、１３Ａはストッパー                  １４、１４Ａはベース台
１５Ａ、１５Ａは紐ストッパー              １６は紐脱落防止装置
１７は帯状の圧力帯                        １８はブレーキゴム
１９はゼンマイ                            ２０はブレーキ解除ボタン
２１はブレーキドラム                      ２２、２２Ａは回転枠戻し組立
２３は回転誘導レバー                      ２４は回転駆動組立
２５は軸連結部                            ２６は連結スプリング
２７は連結解除レバー                      ２８は軸解除板
２９はワイヤー                            ３０はペダル
３１は安定台                              ３２は戻しバネ
３３はレバーバネ                          ３４は吊下げベルト
３５はベルト取付部                        ３６、３６Ａは壁面取付け穴
【図１】
2006311987.tif 000003
【図２】
2006311987.tif 000004
【図３】
2006311987.tif 000005
【図４】
2006311987.tif 000006
【図５】
2006311987.tif 000007
【図６】
2006311987.tif 000008
【図７】
2006311987.tif 000009
【図８】
2006311987.tif 000010
【図９】
2006311987.tif 000011
【図１０】
2006311987.tif 000012